(57)【要約】      （修正有）【課題】ＥＰＧ情報を用いて番組表を表示させるとともに、利便性を向上させることが可能となる情報処理装置を提供する。【解決手段】取得したＥＰＧ情報を用いて番組表を表示させる情報処理装置であって、ユーザが番組表に含まれる番組の何れかの選択をすると（Ｓ１）、選択された番組に関連する関連番組を抽出し（Ｓ２）、抽出した関連番組のリストを生成して表示させ（Ｓ３）、ユーザによって、関連番組のリストに含まれる番組の何れかが指定されると（Ｓ４）、指定された番組に対応した動作を実行する（Ｓ５）。【選択図】図３
2015019207.tif 000002
【特許請求の範囲】
【請求項１】
取得したＥＰＧ情報を用いて番組表を表示させる情報処理装置であって、
前記番組表に含まれる番組の何れかの選択を受付ける選択受付部と、
録画済みの各番組および前記番組表に含まれる各番組を含む番組群の中から、前記選択された番組に関連する関連番組を抽出する抽出部と、
前記抽出された関連番組のリストを生成するリスト生成部と、
前記リストに含まれる番組の何れかの指定を受付けて、該指定された番組に対応した対応動作が行われるようにする動作制御部と、
を備えたことを特徴とする情報処理装置。
【請求項２】
前記動作制御部は、
前記指定された番組が、録画済みの番組と前記番組表に含まれる番組の何れであるかを判別し、該判別の結果に応じた前記対応動作が行われるようにすることを特徴とする請求項１に記載の情報処理装置。
【請求項３】
前記動作制御部は、
前記指定された番組が、録画済みの番組、前記番組表に含まれる放送中の番組、および前記番組表に含まれる放送予定の番組の何れであるかを判別し、該判別の結果に応じた前記対応動作が行われるようにすることを特徴とする請求項２に記載の情報処理装置。
【請求項４】
前記動作制御部は、
前記指定がなされたときに、該指定された番組に対応して実行可能である各動作の何れかの選択を受付けて、
前記対応動作として、前記選択された動作が行われるようにすることを特徴とする請求項３に記載の情報処理装置。
【請求項５】
前記抽出部は、
前記番組群の中から、前記ＥＰＧ情報を用いた所定の関連条件を満たすものを、前記関連番組として抽出することを特徴とする請求項１から請求項４の何れかに記載の情報処理装置。
【請求項６】
前記ＥＰＧ情報に基づいた所定の共通点がある各番組を逐次録画する特定録画動作、を行う請求項５に記載の情報処理装置であって、
前記選択された番組が前記特定録画動作の対象である場合には、該選択された番組と前記共通点があることを、前記関連条件とすることを特徴とする情報処理装置。
【請求項７】
前記動作制御部は、
前記指定された番組が録画済みである場合には、前記対応動作として、該指定された番組の再生が行われるようにすることを特徴とする請求項２または請求項３に記載の情報処理装置。
【請求項８】
前記動作制御部は、
前記指定された番組が放送予定の場合には、前記対応動作として、該指定された番組の録画予約が行われるようにすることを特徴とする請求項３に記載の情報処理装置。
【請求項９】
前記動作制御部は、
前記指定された番組が放送中の場合には、前記対応動作として、該指定された番組の受像が行われるようにすることを特徴とする請求項３に記載の情報処理装置。
【請求項１０】
請求項１から請求項９の何れかに記載の情報処理装置と、
前記番組表および前記リストの表示に用いられるディスプレイと、
を備えたことを特徴とする表示装置。
【発明の詳細な説明】
【技術分野】
【０００１】
本発明は、ＥＰＧ［Electronic Program Guide］情報を用いて番組表を表示させる情報処理装置、およびこれを備えた表示装置に関する。
【背景技術】
【０００２】
従来、ＥＰＧ情報を用いて番組表を表示させるテレビ放送受像機が、広く利用されている。ユーザは番組表を見ることにより、各チャンネルで放送されるテレビ放送番組（本願では単に「番組」と表記する）を把握することが出来る。またユーザは番組表の中から所望の番組を選択し、その番組に対する録画等の動作を実行させることが出来る。
【０００３】
なお番組の録画が行われる際には、ＥＰＧ情報に含まれている当該番組の各種情報（タイトル等）や、録画日時等の情報も一緒に記録される。これによりユーザは、番組のタイトルや録画日時等を手掛かりに所望の番組を検索し、その番組の再生等を実行させることが可能である。
【先行技術文献】
【特許文献】
【０００４】
【特許文献１】特開平６−２３６５９２号公報
【発明の概要】
【発明が解決しようとする課題】
【０００５】
番組表から所望の番組が選択されたときに、その番組に関連する各番組（関連番組）のリストが表示されるようになっていれば、ユーザは関連番組を把握することが容易となる。なお当該リストに、番組表内の番組だけでなく録画済みの番組も含まれるようにしておけば、当該リストを利用して録画済みである関連番組を把握することも出来るため、ユーザにとって便利である。また当該リストを利用して、所望の関連番組に対する動作を実行させることが出来れば、ユーザにとって便利である。
【０００６】
本発明は上述した事情に鑑み、ＥＰＧ情報を用いて番組表を表示させるとともに、利便性を向上させることが可能となる情報処理装置、およびこれを備えた表示装置の提供を目的とする。
【課題を解決するための手段】
【０００７】
本発明に係る情報処理装置は、取得したＥＰＧ情報を用いて番組表を表示させる情報処理装置であって、前記番組表に含まれる番組の何れかの選択を受付ける選択受付部と、録画済みの各番組および前記番組表に含まれる各番組を含む番組群の中から、前記選択された番組に関連する関連番組を抽出する抽出部と、前記抽出された関連番組のリストを生成するリスト生成部と、前記リストに含まれる番組の何れかの指定を受付けて、該指定された番組に対応した対応動作が行われるようにする動作制御部と、を備えた構成とする。
【０００８】
本構成によれば、ＥＰＧ情報を用いて番組表を表示させるとともに、利便性を向上させることが可能となる。なおここでの「表示させる」とは、当該情報処理装置を有する機器の画面に表示させる形態に限られず、他の機器（例えば外付けのディスプレイ等）に表示させる形態等を含む概念である。
【０００９】
また上記構成としてより具体的には、前記動作制御部は、前記指定された番組が、録画済みの番組と前記番組表に含まれる番組の何れであるかを判別し、該判別の結果に応じた前記対応動作が行われるようにする構成としてもよい。
【００１０】
また上記構成としてより具体的には、前記動作制御部は、前記指定された番組が、録画済みの番組、前記番組表に含まれる放送中の番組、および前記番組表に含まれる放送予定の番組の何れであるかを判別し、該判別の結果に応じた前記対応動作が行われるようにする構成としてもよい。本構成によれば、対応動作として、指定された番組の放送時期に応じた動作が行われるようにすることが可能となる。
【００１１】
また上記構成としてより具体的には、前記動作制御部は、前記指定がなされたときに、該指定された番組に対応して実行可能である各動作の何れかの選択を受付けて、前記対応動作として、前記選択された動作が行われるようにする構成としてもよい。これにより、ユーザの意に沿った動作を実行させることが可能となる。
【００１２】
また上記構成としてより具体的には、前記抽出部は、前記番組群の中から、前記ＥＰＧ情報を用いた所定の関連条件を満たすものを、前記関連番組として抽出する構成としてもよい。本構成によれば、番組群の中から関連番組を抽出することが容易となる。
【００１３】
また、前記ＥＰＧ情報に基づいた所定の共通点がある各番組を逐次録画する特定録画動作、を行う上記構成の情報処理装置において、前記選択された番組が前記特定録画動作の対象である場合には、該選択された番組と前記共通点があることを、前記関連条件とする構成としてもよい。本構成によれば、関連条件の内容を、そのときに選択された番組に応じて自動的に更新することが可能となる。
【００１４】
また上記構成としてより具体的には、前記動作制御部は、前記指定された番組が録画済みである場合には、前記対応動作として、該指定された番組の再生が行われるようにする構成としてもよい。本構成によれば、所望の関連番組の再生を容易に行わせることが可能となる。
【００１５】
また上記構成としてより具体的には、前記動作制御部は、前記指定された番組が放送予定の場合には、前記対応動作として、該指定された番組の録画予約が行われるようにする構成としてもよい。本構成によれば、所望の関連番組の録画予約を容易に行わせることが可能となる。
【００１６】
また上記構成としてより具体的には、前記動作制御部は、前記指定された番組が放送中の場合には、前記対応動作として、該指定された番組の受像が行われるようにする構成としてもよい。本構成によれば、所望の関連番組の受像を容易に行わせることが可能となる。
【００１７】
また本発明に係る表示装置は、上記構成の情報処理装置と、前記番組表および前記リストの表示に用いられるディスプレイと、を備えた構成とする。本構成によれば、上記構成の情報処理装置の利点を享受することが可能となる。
【発明の効果】
【００１８】
本発明に係る情報処理装置によれば、ＥＰＧ情報を用いて番組表を表示させるとともに、利便性を向上させることが可能となる。また本発明に係る表示装置によれば、本発明に係る情報処理装置の利点を享受することが可能となる。
【図面の簡単な説明】
【００１９】
【図１】本実施形態のテレビ放送受像機のブロック図である。
【図２】録画済み番組リストに関する説明図である。
【図３】ＥＰＧ関連動作のフローチャートである。
【図４】ＥＰＧ関連動作に関する説明図である。
【図５】ＥＰＧ関連動作に関する説明図である。
【図６】ＥＰＧ関連動作に関する説明図である。
【図７】第２実施形態のＥＰＧ関連動作に関するフローチャートである。
【図８】第３実施形態のＥＰＧ関連動作に関するフローチャートである。
【発明を実施するための形態】
【００２０】
本発明の実施形態について、第１から第３の各実施形態を例に挙げて以下に説明する。
【００２１】
１．第１実施形態
［テレビ放送受像機の構成および基本動作］
まず第１実施形態について説明する。図１は、本実施形態に係るテレビ放送受像機１の構成に関するブロック図である。本図に示すようにテレビ放送受像機１は、制御部１０、放送信号受信部１１、放送信号処理部１２、ＥＰＧ処理部１３、録画処理部１４、画像処理部１６、音声処理部１７、ディスプレイ１８、スピーカ１９、時計部２１、および操作部２２を備えている。
【００２２】
制御部１０は、テレビ放送受像機１が正常に動作するように各部を制御する。なお制御部１０はユーザの指示等に応じて、テレビ放送受像機１の動作モードを、受像モード、番組表表示モード、録画モード、再生モード、および録画リスト表示モード等の間で切替える。
【００２３】
受像モードは、放送中の番組の受像（受信チャンネルの番組を受信し、その画像表示と音声出力を行う動作）を実行するモードである。なおこの受像の動作は、ユーザによる放送中の番組の視聴を、可能にする動作と見ることも出来る。受信チャンネル（現在選局されているチャンネル）は、ユーザの指示等に応じて切替可能となっている。なお受像の動作については、音声出力が省略されていても構わない。
【００２４】
番組表表示モードは、番組表（電子番組表）を表示するモードである。録画モードは、放送中の番組の録画（受信チャンネルの番組を受信し、その画像および音声を記録する動作）を実行するモードである。なお録画の動作については、音声の記録が省略されていても構わない。
【００２５】
再生モードは、指定された録画済み番組の再生（画像表示および音声出力）を実行するモードである。なお再生の動作については、音声出力が省略されていても構わない。また録画モードでは、放送中の番組の受像あるいは録画済み番組の再生が、番組の録画と並行して実行されても良い。
【００２６】
録画リスト表示モードは、録画済み番組リストを表示するモードである。図２に例示するように、録画済み番組リスト５０は、録画済みの各番組の概略情報（図２の例では、チャンネル、タイトル、および録画日時）を表す。録画済み番組リスト５０に並ぶ番組の順番は、基本的には録画日時などの情報に応じて自動的に決まるが、ユーザの指示に応じて適宜変更可能となっている。
【００２７】
なおユーザは、録画済み番組リスト５０内のカーソル５０ａを自由に移動させ、録画済み番組リストに含まれる任意の番組を選択することが可能である。またユーザは、選択した番組に対する再生、タイトル変更、削除、順番入替（録画済み番組リストに並ぶ番組の順番の入替）、および編集等を実行させることが可能である。
【００２８】
放送信号受信部１１は、テレビ放送（一例としては地上デジタル放送）の信号を受信して放送信号処理部１２へ送出する。なおテレビ放送の信号には、番組の画像および音声の情報に加え、ＥＰＧ情報が含まれている。
【００２９】
放送信号処理部１２は、放送信号受信部１１から受取った信号に所定処理（デコード処理等）を施し、受信チャンネル（現在選局されているチャンネル）の番組の画像および音声の情報、ならびに最新のＥＰＧ情報を取得する。
【００３０】
放送信号処理部１２は、取得したＥＰＧ情報をＥＰＧ処理部１３へ送出する。また放送信号処理部１２は、受像モードにおいては、受信チャンネルの番組（放送中の番組）の画像情報を画像処理部１６へ送出し、その番組の音声情報を音声処理部１７へ送出する。また放送信号処理部１２は、録画モードにおいては、受信チャンネルの番組の画像情報および音声情報を録画処理部１４へ送出する。
【００３１】
ＥＰＧ処理部１３は、放送信号処理部１２から受取ったＥＰＧ情報を記録保持する。なおＥＰＧ情報には、各番組のタイトル、チャンネル、ジャンル、（放送される）時間帯、およびその他の付属情報（登場人物やストーリー概略など）が含まれる。これによりＥＰＧ処理部１３は、ＥＰＧ情報を用いて番組表を形成することが可能である。また番組ごとの各種情報を含むＥＰＧ情報は、後述する関連条件を用いる処理にも利用される。
【００３２】
ＥＰＧ処理部１３は、番組表表示モードのときに、番組表の画像情報を画像処理部１６へ送出する。またＥＰＧ処理部１３は、制御部１０の指示に応じて、番組表に関連する各種画像（後述する関連番組リスト等）の情報を画像処理部１６へ送出する。
【００３３】
録画処理部１４は、例えばＨＤＤ［Hard Disk Drive］を有しており、放送信号処理部１２から受取る番組の画像情報および音声情報を記録する。これにより番組の録画が実現される。なおこのように番組が録画される際には、その番組に対応するＥＰＧ情報（タイトル、チャンネル、ジャンル、時間帯、およびその他の付属情報）も一緒に記録される。また録画処理部１４は、再生モードのときに、指定された録画済みの番組（録画番組）の画像情報を画像処理部１６へ送出し、その番組の音声情報を音声処理部１７へ送出する。
【００３４】
画像処理部１６は、放送信号処理部１２、ＥＰＧ処理部１３、あるいは録画処理部１４から受けた画像情報に基づいて、ディスプレイ１８に画像を表示させるための信号を生成し、ディスプレイ１８へ送出する。ディスプレイ１８は、例えば液晶ディスプレイとして形成されており、画像処理部１６から受取った信号に基づいて画像を表示する。
【００３５】
音声処理部１７は、放送信号処理部１２あるいは録画処理部１４から受けた音声情報に基づいて、スピーカ１９に音声を出力させるための信号を生成し、スピーカ１９へ送出する。スピーカ１９は、音声処理部１７から受取った信号に基づいて音声を出力する。
【００３６】
なおディスプレイ１８やスピーカ１９は、テレビ放送受像機１の一部として設けられていても良く、テレビ放送受像機１側から見た外部機器（例えば外付けの機器）であっても良い。何れの場合にも、テレビ放送受像機１がディスプレイ１８に各種画像を表示させ、スピーカ１９に音声を出力させることになる。
【００３７】
時計部２１は、現在時刻をカウントする時計としての機能を有している。なお時計部２１は、例えば外部から最新の時刻情報を逐次受取ることによって、現在時刻を把握するようになっていても構わない。時計部２１によって得られた現在時刻の情報は、制御部１０へ送出される。
【００３８】
操作部２２は、ユーザによる遠隔操作を受付けるためのリモートコントロール装置や、ユーザによって操作される操作スイッチ等から形成されている。操作部２２は、これらのユーザインターフェースを通じて、ユーザの各種操作を受付ける。操作部２２における操作の内容はユーザの意図を反映しており、その情報は制御部１０へ逐次送出される。
【００３９】
［ＥＰＧ関連動作］
またテレビ放送受像機１は、番組表を表示させているときに、ユーザの利便性を向上させるためのＥＰＧ関連動作を実行する。このＥＰＧ関連動作の内容について、図３に示すフローチャート、および図４から図６の各説明図を参照しながら以下に説明する。
【００４０】
番組表を表示させているとき、テレビ放送受像機１は、番組表に含まれる番組の何れかの選択を待機する（ステップＳ１）。より具体的には、ディスプレイ１８において図４に示すように番組表５１が表示されているとき、番組表５１内には、何れかの番組を指し示すカーソル５１ａが現れている。
【００４１】
このときユーザは、カーソル５１ａを自由に移動させて、所望の番組を選択することが可能である。図４に示す例では、カーソル５１ａは、「○○第３話」というタイトルの番組を指し示している。番組表５１には、現在放送中の各番組および将来に放送予定の各番組が含まれるため、これらの番組の何れかが選択され得る。
【００４２】
なお当該選択の形態については、カーソル５１ａが何れかの番組を指し示した状態において更に所定の操作（例えば「決定」の操作）がなされた段階で、その番組が選択されたとみなす形態としても良い。また当該選択の形態については、カーソル５１ａが何れかの番組を指し示した段階で、その番組が選択されたとみなす形態としても良い。
【００４３】
番組表に含まれる番組の何れかが選択されると（ステップＳ１のＹ）、テレビ放送受像機１は、録画済みの番組および番組表に含まれる番組を全て含む番組群（以下、「番組群ＰＸ」とする）の中から、選択された番組に関連する関連番組を抽出する（ステップＳ２）。より具体的に説明すると、テレビ放送受像機１は、ＥＰＧ情報を用いた所定の関連条件を満たすものを、当該関連番組として抽出する。
【００４４】
例えば関連条件の内容が「（選択された番組と）同じジャンルであること」である場合には、選択された番組と同じジャンルである各番組が、番組群ＰＸから関連番組として抽出される。なお関連条件の内容は、この例の他にも、「同じシリーズであること」、「ＥＰＧ情報に同じキーワードを含むこと」、或いは「出演者が同じであること」といったように、様々な内容とされ得る。また関連番組には、選択された番組自体が含まれるようにしても良く、除外されるようにしても良い。
【００４５】
また関連条件の内容は、ユーザの操作等に応じて更新可能となっていても良い。また関連条件の内容は、そのときに選択された番組に応じて、自動的に更新されるようになっていても良い。このように自動的に更新されるようにした実施形態の一例については、後に第３実施形態として説明する。
【００４６】
テレビ放送受像機１は、抽出した関連番組のリストである関連番組リストを生成してディスプレイ１８に表示させる（ステップＳ３）。図５は、この関連番組リスト５２が表示された状態を例示している。関連番組リスト５２内には、何れかの番組を指し示すカーソル５２ａが現れており、ユーザは、カーソル５２ａを自由に移動させることが可能である。関連番組リスト５２は、図５に示すように番組表５１とは重ならないように表示されても良く、番組表５１の一部と重なるように表示されても良い。
【００４７】
また関連番組リスト５２が示す情報は、各番組のタイトル等の文字列だけであっても良く、図５に示すように、各番組に関連するサムネイル画像（静止画または動画）を含んでいても良い。このサムネイル画像は、例えば、当該番組をそのまま再生した画像であっても良く、予め生成された当該番組のダイジェスト画像であっても良い。
【００４８】
また関連番組リスト５２の表示中、図６に示すように、サムネイル画像を表示するための表示領域５３が設けられていても良い。この表示領域５３には、例えば、カーソル５２ａで指し示された番組に関連するサムネイル画像が表示されても良く、関連番組の各々のサムネイル画像が順番に表示されても良い。
【００４９】
なお関連番組リスト５２の表示中におけるディスプレイ１８の表示形態については、図５や図６に示すような、関連番組リスト５２と番組表５１の両方が表示される形態には限られない。一例として当該表示形態は、関連番組リスト５２と関連番組の画像が表示される形態（例えば、関連番組の画像がディスプレイ１８全体に表示され、これに関連番組リスト５２がオーバーラップ表示された形態）となっていても良い。
【００５０】
また関連番組リスト５２の表示中に、ステップＳ１と同様の動作（番組表５１に含まれる番組の何れかの選択の待機）が行われるようにしても良い。この場合、新たに別の番組が選択されると、ステップＳ２〜Ｓ３と同様の動作が再度行われる。これにより、現在表示中の関連番組リスト５２が、新たに選択された番組についての関連番組リスト５２に置換えられる。
【００５１】
関連番組リスト５２が表示された状態において、テレビ放送受像機１は、関連番組リスト５２に含まれる番組の何れかの指定を待機する（ステップＳ４）。このときユーザは、カーソル５２ａを自由に移動させて所望の番組を指し示すようにし、所定の操作（例えば「決定」の操作）を行うことにより、当該番組を指定することが可能である。当該指定の形態については、この他にも種々の形態が採用され得る。
【００５２】
関連番組リスト５２に含まれる番組の何れかが指定されると（ステップＳ４のＹ）、テレビ放送受像機１は、指定された番組に対応した対応動作を実行する（ステップＳ５）。本実施形態での対応動作は、指定された番組に対応して実行可能である動作の一つとして、予め設定されている動作である。
【００５３】
なお指定された番組に対応して実行可能である動作の種類は、指定された番組の状況等によって異なる。すなわち実行可能である動作の種類は、指定された番組が録画済みの番組（過去に放送された番組）、番組表５１に含まれる放送中の番組、および番組表５１に含まれる放送予定の番組の何れであるかによって異なる。
【００５４】
例えば再生等の動作は、録画済みの番組に対応して実行可能であるが、放送中の番組や放送予定の番組に対応して実行することは出来ない。また受像等の動作は、放送中の番組に対応して実行可能であるが、録画済みの番組や放送予定の番組に対応して実行することは出来ない。
【００５５】
テレビ放送受像機１は、指定された番組が録画済みの番組、番組表５１に含まれる放送中の番組、および番組表５１に含まれる放送予定の番組の何れであるかを判別し、この判別の結果に応じた対応動作が行われるようにする。なお対応動作の種類は、当該判別の結果ごとに予め別々に設定されている。
【００５６】
指定された番組が録画済みの番組である場合、その番組に対応して実行可能である動作としては、再生、タイトル変更、削除、順番入替、および編集等が挙げられる。そこで指定された番組が録画済みの番組である場合の対応動作は、これらの動作のうちの何れかに予め設定される。例えば対応動作が「再生」に設定されると、指定された番組が録画済みである場合には、対応動作として当該指定された番組の再生が行われることになる。
【００５７】
また指定された番組が番組表５１に含まれる放送中の番組である場合、その番組に対応して実行可能である動作としては、受像および録画等が挙げられる。そこで指定された番組が番組表５１に含まれる放送中の番組である場合の対応動作は、これらの動作のうちの何れかに設定される。例えば対応動作が「受像」に設定されると、指定された番組が番組表５１に含まれる放送中の番組である場合には、対応動作として当該指定された番組の受像が行われることになる。
【００５８】
また指定された番組が番組表５１に含まれる放送予定の番組である場合、その番組に対応して実行可能である動作としては、受像予約（視聴予約）および録画予約等が挙げられる。なお「受像予約」は、放送時刻が到来すると自動的にその番組を受像するように設定するための動作であり、「録画予約」は、放送時刻が到来すると自動的にその番組を録画するように設定するための動作である。
【００５９】
指定された番組が番組表５１に含まれる放送予定の番組である場合の対応動作は、これらの動作のうちの何れかに設定される。例えば対応動作が「録画予約」に設定されると、指定された番組が番組表５１に含まれる放送予定の番組である場合には、対応動作として当該指定された番組の録画予約が行われることになる。
【００６０】
なお対応動作の種類は、ユーザの操作等に応じて更新可能となっていても良い。このようにすれば、例えばそのユーザが頻繁に利用する動作を対応動作としておくことにより、テレビ放送受像機１の利便性を向上させることが可能となる。
【００６１】
上述した通り、テレビ放送受像機１は、関連番組リスト５２に含まれる番組の何れかが指定されると、指定された番組に対応した対応動作を実行する（ステップＳ４〜Ｓ５）。この対応動作は、指定された番組に対応して実行可能である動作の一つとして、予め設定されている動作である。そのためユーザは、関連番組リスト５２に含まれる所望の番組を指定するだけで（例えば、所望の番組にカーソル５２ａを合わせて「決定」の操作を行うだけで）、その番組に対応した対応動作を実行させることが可能である。
【００６２】
但しテレビ放送受像機１の使われ方などによっては、対応動作の種類をその時の状況に応じて容易に変更可能である方が、便利である場合も考えられる。この場合には、関連番組リスト５２に含まれる所望の番組が指定された後、その番組に対応する対応動作の種類が容易に選択可能であることが望ましい。このような要望に応え得る実施形態の一例を、第２実施形態として以下に説明する。
【００６３】
２．第２実施形態
次に第２実施形態について説明する。なお第２実施形態は、ＥＰＧ関連動作に関する部分を除き、基本的には第１実施形態と同様である。以下の説明では、第１実施形態と異なる部分の説明に重点をおき、共通する部分については説明を省略することがある。
【００６４】
テレビ放送受像機１において、番組表５１を表示させているときにＥＰＧ関連動作（ステップＳ１〜Ｓ５）が実行される点は、第１実施形態の場合と同様である。但し第２実施形態におけるステップＳ５の動作の内容、すなわち関連番組リスト５２に含まれる番組の何れかが指定された後の動作の内容は、第１実施形態の場合と異なっている。この動作の流れについて、図７に示すフローチャートを参照しながら以下に説明する。
【００６５】
テレビ放送受像機１は、関連番組リスト５２に含まれる番組の何れかが指定されると、その指定された番組の状態が録画済み、放送中、および放送予定の何れであるかを判別する（ステップＳ１１）。そしてテレビ放送受像機１は、この判別の結果に応じた選択リスト（対応動作の種類をユーザに選択させるためのリスト）を、ディスプレイ１８に表示させる。
【００６６】
すなわちテレビ放送受像機１は、指定された番組が録画済みである場合（ステップＳ１１の「録画済み」）、「再生」、「タイトル変更」、「削除」、「順番入替」、および「編集」の各項目を含む選択リストＡを表示させる（ステップＳ１２）。選択リストＡに含まれるこれらの項目は、録画済みの番組に対応して実行可能である動作の各々を表している。
【００６７】
またテレビ放送受像機１は、指定された番組が放送中である場合（ステップＳ１１の「放送中」）、「視聴」および「録画」の各項目を含む選択リストＢを表示させる（ステップＳ１３）。なお「視聴」は、ユーザの立場から見て指定された番組の視聴を可能とする動作（つまり、指定された番組の受像の動作）を表す。選択リストＢに含まれるこれらの項目は、放送中の番組に対応して実行可能である動作の各々を表している。
【００６８】
またテレビ放送受像機１は、指定された番組が放送予定である場合（ステップＳ１１の「放送予定」）、「視聴予約」および「録画予約」の各項目を含む選択リストＣを表示させる（ステップＳ１４）。なお「視聴予約」は、指定された番組の受像予約の動作を表す。選択リストＣに含まれるこれらの項目は、放送予定の番組に対応して実行可能である動作の各々を表している。
【００６９】
上述した選択リストＡ〜Ｃの何れかが表示されている間、テレビ放送受像機１は、その選択リストに含まれている項目の何れかの選択を待機する（ステップＳ１５）。このときユーザは、表示中の選択リストに含まれている項目の中から、指定した番組について実行させたい動作の項目を自由に選ぶことが可能である。
【００７０】
選択リストに含まれている項目の何れかが選ばれると（ステップＳ１５のＹ）、テレビ放送受像機１は、指定された番組に対し、選ばれた項目の動作を実行する（ステップＳ１６）。これにより、ユーザの意に沿った動作が実行されることになる。
【００７１】
３．第３実施形態
次に第３実施形態について説明する。以下の説明では、未だ説明を行っていない事項および第１実施形態と異なる部分の説明に重点をおき、第１実施形態と共通する部分については説明を省略することがある。
【００７２】
テレビ放送受像機１は番組の録画に関する機能として、既に説明した録画予約などの他、シリーズ録画やキーワード録画の機能をも有している。シリーズ録画は、特定のシリーズ番組の設定（例えば、当該シリーズ番組に共通するタイトルの設定）を予め受付けておき、そのシリーズ番組の各々を逐次録画する機能である。これにより、そのシリーズ番組の各番組の放送時刻が到来する度に、その番組の録画が自動的に実行される。
【００７３】
シリーズ録画の機能によれば、ユーザは、例えば毎週放送されるシリーズ番組などを一度に予約することが可能となる。なおテレビ放送受像機１は、ＥＰＧ情報に基づいて、設定されたシリーズ番組の各番組の放送時刻を予め認識しておき、これらの番組を逐次録画することが可能である。
【００７４】
またキーワード録画は、特定のキーワードの設定を予め受付けておき、ＥＰＧ情報にそのキーワードを含む番組の各々を逐次録画する機能である。これにより、ＥＰＧ情報にそのキーワードを含む各番組の放送時刻が到来する度に、その番組の録画が自動的に実行される。
【００７５】
キーワード録画の機能によれば、ユーザは、例えば所望のキーワードに関連する番組などを一度に予約することが可能となる。なおテレビ放送受像機１は、ＥＰＧ情報に基づいて、設定されたキーワードを含む各番組の放送時刻を予め認識しておき、これらの番組を逐次録画することが可能である。
【００７６】
テレビ放送受像機１において、番組表５１を表示させているときにＥＰＧ関連動作（ステップＳ１〜Ｓ５）が実行される点は、第１実施形態の場合と同様である。但し第３実施形態では、番組表に含まれる番組の何れかが選択された後（ステップＳ１のＹ）、ステップＳ２の動作が行われる前に、関連条件の内容を決めるための動作が行われる点で第１実施形態とは異なる。この動作の流れについて、図８に示すフローチャートを参照しながら以下に説明する。
【００７７】
テレビ放送受像機１は、番組表５１に含まれる番組の何れかが選択されると、ＥＰＧ情報に基づいて、当該選択された番組がシリーズ録画の対象であるか否かを判別する（ステップＳ２１）。シリーズ録画の対象である場合（ステップＳ２１のＹ）、テレビ放送受像機１は、当該選択された番組と同じシリーズ番組に属することを関連条件とし（ステップＳ２２）、ステップＳ２（図３を参照）の処理に進む。
【００７８】
これによりステップＳ２の処理では、番組群ＰＸに含まれる各番組についてのＥＰＧ情報が参照され、番組群ＰＸの中から当該選択された番組と同じシリーズ番組の各番組が、関連番組として抽出されることになる。そのためステップＳ３の処理により、このシリーズ番組に属する各番組のリストが、関連番組リスト５２として表示される。これによりユーザは、これらの各番組のうちの所望の番組を、容易に指定することが可能となる。
【００７９】
なおシリーズ録画の対象ではない場合（ステップＳ２１のＮ）、次にテレビ放送受像機１は、同じく選択された番組に対応したＥＰＧ情報に基づいて、当該選択された番組がキーワード録画の対象であるか否かを判別する（ステップＳ２３）。キーワード録画の対象である場合（ステップＳ２３のＹ）、テレビ放送受像機１は、ＥＰＧ情報に当該キーワードを含むことを関連条件とし（ステップＳ２４）、ステップＳ２の処理に進む。
【００８０】
これによりステップＳ２の処理では、番組群ＰＸに含まれる各番組についてのＥＰＧ情報が参照され、番組群ＰＸの中からＥＰＧ情報に当該キーワードを含む各番組が、関連番組として抽出されることになる。そのためステップＳ３の処理により、ＥＰＧ情報に当該キーワードを含む各番組のリストが、関連番組リスト５２として表示される。これによりユーザは、これらの各番組のうちの所望の番組を、容易に指定することが可能となる。
【００８１】
なおキーワード録画の対象ではない場合（ステップＳ２３のＮ）、テレビ放送受像機１は、選択された番組と同じジャンルに属することを関連条件とし（ステップＳ２５）、ステップＳ２の処理に進む。これによりステップＳ２の処理では、番組群ＰＸに含まれる各番組についてのＥＰＧ情報が参照され、番組群ＰＸの中から今回選択された番組と同じジャンルに属する各番組が、関連番組として抽出されることになる。
【００８２】
そのためステップＳ３の処理により、今回選択された番組と同じジャンルに属する各番組のリストが、関連番組リスト５２として表示される。そのためユーザは、これらの各番組のうちの所望の番組を、容易に指定することが可能となる。
【００８３】
上述したステップＳ２１〜Ｓ２５の動作により、関連条件の内容は、そのときに選択された番組に応じて自動的に更新される。そのためユーザに手間を掛けることなく、関連条件を、そのときに選択された番組に相応しいと見込まれる条件にすることが可能である。なお、選択された番組がどの条件を満たすときに関連条件の内容をどのように更新するかについては、上述した例の他にも様々な形態としておくことが可能である。
【００８４】
なおテレビ放送受像機１は、シリーズ録画（特定録画動作の一形態）として、ＥＰＧ情報に基づいた「同じシリーズ番組である」という共通点がある各番組を逐次録画する動作を行う。またテレビ放送受像機１は、ステップＳ１の処理で選択された番組がシリーズ録画の対象である場合には、当該選択された番組と「同じシリーズ番組である」という共通点があることを、関連条件とする。
【００８５】
またテレビ放送受像機１は、キーワード録画（特定録画動作の一形態）として、ＥＰＧ情報に基づいた「ＥＰＧ情報に同じキーワードを含む」という共通点がある各番組を逐次録画する動作を行う。またテレビ放送受像機１は、ステップＳ１の処理で選択された番組がキーワード録画の対象である場合には、当該選択された番組と「ＥＰＧ情報に同じキーワードを含む」という共通点があることを、関連条件とする。
【００８６】
４．その他
以上に説明した通り、各実施形態のテレビ放送受像機１は、取得したＥＰＧ情報を用いて番組表５１を表示させる。テレビ放送受像機１は、番組表５１に含まれる番組の何れかの選択を受付ける機能部（選択受付部）と、録画済みの各番組および番組表５１に含まれる各番組を含む番組群ＰＸの中から、前記選択された番組に関連する関連番組を抽出する機能部（抽出部）を備える。またテレビ放送受像機１は、抽出された関連番組のリスト（関連番組リスト５２）を生成する機能部（リスト生成部）と、関連番組リスト５２に含まれる番組の何れかの指定を受付けて、該指定された番組に対応した対応動作が行われるようにする機能部（動作制御部）を備える。
【００８７】
そのためテレビ放送受像機１によれば、ＥＰＧ情報を用いて番組表５１を表示させるとともに、利便性を向上させることが可能となっている。すなわち番組表５１から所望の番組が選択されたときに、その番組についての関連番組リスト５２が表示されるため、ユーザは関連番組を認識することが容易である。なお本発明の番組表の形態としては、縦方向と横方向に日時とチャンネルが割当てられた一般的な形態の他、本発明の趣旨を逸脱しない限り種々の形態が採用され得る。
【００８８】
また関連番組リスト５２には、番組表５１内の関連番組とともに録画済みの関連番組も含まれるようにしているため、ユーザは関連番組リスト５２に基づいて、これら双方の関連番組を把握することが可能である。また更に、関連番組リスト５２内の所望の関連番組に対する動作を実行させることが出来るため、このような動作を実行させることが出来ない場合に比べて利便性が向上している。
【００８９】
また動作制御部は、前記指定された番組が、録画済みの番組と番組表５１に含まれる番組の何れであるかを判別し、該判別の結果に応じた対応動作が行われるようにする。より詳細に説明すると動作制御部は、前記指定された番組が、録画済みの番組、番組表５１に含まれる放送中の番組、および番組表５１に含まれる放送予定の番組の何れであるかを判別し、該判別の結果に応じた前記対応動作が行われるようにする。これにより対応動作として、指定された番組の放送時期に応じた動作が行われるようにすることが可能となっている。
【００９０】
なお第２実施形態の動作制御部は、前記指定がなされたときに、該指定された番組に対応して実行可能である各動作の何れかの選択を受付けて、前記対応動作として、前記選択された動作が行われるようにする。これにより、ユーザの意に沿った動作を実行させることが可能となっている。
【００９１】
なお各実施形態の抽出部は、番組群ＰＸの中からＥＰＧ情報を用いた所定の関連条件を満たすものを、前記関連番組として抽出するようになっている。そのため、番組群ＰＸの中から、選択された番組に関連する関連番組を抽出することが容易となっている。
【００９２】
また本発明の構成は、上記の各実施形態や変形例のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、ＥＰＧ情報を用いて番組表を表示させる各種情報処理装置に利用することができる。
【符号の説明】
【００９３】
１      テレビ放送受像機（情報処理装置）
１０    制御部
１１    放送信号受信部
１２    放送信号処理部
１３    ＥＰＧ処理部
１４    録画処理部
１６    映像処理部
１７    音声処理部
１８    ディスプレイ
１９    スピーカ
２１    時計部
２２    操作部
５０    録画済み番組リスト
５１    番組表
５２    関連番組リスト
【図１】
2015019207.tif 000003
【図２】
2015019207.tif 000004
【図３】
2015019207.tif 000005
【図４】
2015019207.tif 000006
【図５】
2015019207.tif 000007
【図６】
2015019207.tif 000008
【図７】
2015019207.tif 000009
【図８】
2015019207.tif 000010